(57)【要約】      （修正有）【課題】激震に適しており、しかも簡易な構成で容易に製造できる低コストな配管支持具用振止め吊下具を提供する。【解決手段】平板状支持部と、この支持部の厚み中心を通る第１基準線を中心にして、１０〜８０度の角度を以って、該支持部の端部を一方に延伸した一方第１延伸部及び他方に延伸した他方第１延伸部と、前記一方第１延伸部及び他方第１延伸部の各端部を前記支持部側に延伸した一方第２延伸部及び他方第２延伸部とを有し、前記支持部にはボルトを挿通できる透孔が穿設され、前記一方第２延伸部及び他方第２延伸部の各々には、吊下支持杆を螺合固定するナット部材が回転自在に取り付けられた構成であることを特徴とする配管支持具用振止め吊下具である。【選択図】図１
0003148708.tif 000002
【実用新案登録請求の範囲】
【請求項１】
平板状支持部と、
この支持部の厚み中心を通る第１基準線を中心にして、１０〜８０度の角度を以って、該支持部の端部を一方に延伸した一方第１延伸部及び他方に延伸した他方第１延伸部と、
前記一方第１延伸部及び他方第１延伸部の各端部を前記支持部側に延伸した一方第２延伸部及び他方第２延伸部と、を有し、
前記支持部にはボルトを挿通できる透孔が穿設され、前記一方第２延伸部及び他方第２延伸部の各々には、吊下支持杆を螺合固定するナット部材が回転自在に取り付けられた構成であることを特徴とする配管支持具用振止め吊下具。
【請求項２】
前記支持部に穿設された透孔に挿通するボルト・ナットにより配管支持具を固定し、
前記一方第２延伸部及び他方第２延伸部に取り付けられたナット部材に吊下支持杆の一端を螺合固定し、
前記吊下支持杆の他端を、天井スラブ等の取付面に斜め吊下状態で固定することで、配管を振止め状態で吊下支持可能な構成であることを特徴とする請求項１に記載の配管支持具用振止め吊下具。
【請求項３】
天井スラブ等の取付面に取付固定されたＴ足の如き取付足部材に、前記支持部を該支持部に穿設された透孔に挿通するボルト・ナットによって螺合固定し、
前記一方第２延伸部及び他方第２延伸部に取り付けられたナット部材に吊下支持杆の一端を螺合固定することで該吊下支持杆を斜め吊下げし、
斜め吊下げする吊下支持杆の他端に、連結部材を介して配管支持具を吊下固定することで、配管を振止め状態で吊下支持可能な構成であることを特徴とする請求項１に記載の配管支持具用振止め吊下具。
【請求項４】
前記吊下支持杆の斜め吊下げが、配管軸方向であることを特徴とする請求項３に記載の配管支持具用振止め吊下具。
【請求項５】
前記吊下支持杆の斜め吊下げが、配管軸直交方向であることを特徴とする請求項３に記載の配管支持具用振止め吊下具。
【請求項６】
前記配管支持具用振止め吊下具が、一枚板形状の平板を折曲加工又はプレス加工により形成された構成であることを特徴とする請求項１〜５のいずれかに記載の配管支持具用振止め吊下具。
【考案の詳細な説明】
【技術分野】
【０００１】
本考案は配管支持具用振止め支持具に関し、詳しくは天井スラブ等の取付面に、水道管、ガス管、冷・暖房管等の各種配管を防振状態で吊下支持する振止め吊下具に関する。
【背景技術】
【０００２】
天井スラブ等の取付面に吊りボルト等の支持部材による吊下支持に加えて、前記取付け面から斜めに垂設した吊下支持杆を付加すること等によって２点支持乃至は３点支持して防振（防震）構造とした技術としては、例えば、特許文献１に記載のものが知られている。
【０００３】
しかし、特許文献１に記載の技術では、吊下支持杆を連結部材を介して吊りボルトに連結しているため、強い揺れや振れ（激震）に対しては強度不足となる虞がある。
【０００４】
そこで本出願人は、激震に適した配管支持具用振止め吊下具を先に提案した（実願２００８−００８２２７号参照）。
【０００５】
この先提案技術は、山形状に曲折したタンバックル本体の頂部板の２つの傾斜面の各々にナット部材を回転自在に取り付け、取付面から斜めに垂設された吊下支持杆に前記ナット部材を螺合固定することで配管支持具を振止め状態で吊下支持することができるようにしたものである。
【０００６】
【特許文献１】実公平０４−０１６５６９号
【考案の開示】
【考案が解決しようとする課題】
【０００７】
本考案者は、かかる技術について更に研究を続けた結果、更に簡易な構成で容易に製造できる低コストな配管支持具用振止め吊下具について要請のあることが判った。
【０００８】
そこで本考案の課題は、激震に適しており、しかも簡易な構成で容易に製造できる低コストな配管支持具用振止め吊下具を提供することにある。
【課題を解決するための手段】
【０００９】
上記課題を解決する本考案は下記構成を有する。
【００１０】
１．平板状支持部と、
この支持部の厚み中心を通る第１基準線を中心にして、１０〜８０度の角度を以って、該支持部の端部を一方に延伸した一方第１延伸部及び他方に延伸した他方第１延伸部と、
前記一方第１延伸部及び他方第１延伸部の各端部を前記支持部側に延伸した一方第２延伸部及び他方第２延伸部と、を有し、
前記支持部にはボルトを挿通できる透孔が穿設され、前記一方第２延伸部及び他方第２延伸部の各々には、吊下支持杆を螺合固定するナット部材が回転自在に取り付けられた構成であることを特徴とする配管支持具用振止め吊下具。
【００１１】
２．前記支持部に穿設された透孔に挿通するボルト・ナットにより配管支持具を固定し、
前記一方第２延伸部及び他方第２延伸部に取り付けられたナット部材に吊下支持杆の一端を螺合固定し、
前記吊下支持杆の他端を、天井スラブ等の取付面に斜め吊下状態で固定することで、配管を振止め状態で吊下支持可能な構成であることを特徴とする上記１に記載の配管支持具用振止め吊下具。
【００１２】
３．天井スラブ等の取付面に取付固定されたＴ足の如き取付足部材に、前記支持部を該支持部に穿設された透孔に挿通するボルト・ナットによって螺合固定し、
前記一方第２延伸部及び他方第２延伸部に取り付けられたナット部材に吊下支持杆の一端を螺合固定することで該吊下支持杆を斜め吊下げし、
斜め吊下げする吊下支持杆の他端に、連結部材を介して配管支持具を吊下固定することで、配管を振止め状態で吊下支持可能な構成であることを特徴とする上記１に記載の配管支持具用振止め吊下具。
【００１３】
４．前記吊下支持杆の斜め吊下げが、配管軸方向であることを特徴とする上記３に記載の配管支持具用振止め吊下具。
【００１４】
５．前記吊下支持杆の斜め吊下げが、配管軸直交方向であることを特徴とする上記３に記載の配管支持具用振止め吊下具。
【００１５】
６．前記配管支持具用振止め吊下具が、一枚板形状の平板体を折曲加工又はプレス加工により形成された構成であることを特徴とする上記１〜５のいずれかに記載の配管支持具用振止め吊下具。
【考案の効果】
【００１６】
請求項１に示す考案によれば、激震に適しており、しかも簡易な構成で容易に製造できる低コストな配管支持具用振止め吊下具を提供することができる。
【００１７】
特に、平板状構成のため、簡単な構造で高い強度を得ることができる。
【００１８】
請求項２に示す考案によれば、配管軸直交方向への揺れに対して防振することができる。
【００１９】
請求項３〜５に示す考案によれば、柔構造・免振構造或いは制振構造の建物における揺れに対して防振することができ、請求項４では配管軸方向への揺れに対して、請求項５では配管軸直交方向での揺れに対して、各々防振することができる。
る。
【００２０】
請求項６に示す考案によれば、極めて単純な製造工程で製造可能なので、著しいコストダウンが可能である。
【考案を実施するための最良の形態】
【００２１】
本考案に係る配管支持具用振止め吊下具の詳細について、添付の図面に基づき説明する。
【００２２】
図１は本考案に係る配管支持具用振止め吊下具の一実施例を示す４面図（正面図、平面図、低面図、左側面図）、図２は使用状態の一例を示す正面図、図３は使用状態の他の例を示す正面図、図４は使用状態の更に他の例を示す正面図である。
【００２３】
本考案に係る配管支持具用振止め吊下具（以下、単に振止め吊下具ということもある。）１は、図１に示すような具体的構成を有し、使用に際しては図２に示すように天井スラブ等の取付面２に固定されて垂設される２本の吊下支持杆３・３に、配管Ｐを抱持した配管支持具４を配管軸直交方向において吊下げると共に振止めする吊下具である。
【００２４】
振止め吊下具１の具体的構成としては、平板状支持部（本明細書では、単に支持部ということもある。）１１と、この支持部１１の厚み中心を通る第１基準線を中心にして、１０〜８０度（本実施例では４５度）の角度を以って、該支持部１１の端部を一方に延伸した一方第１延伸部１２及び他方に延伸した他方第１延伸部１３と、前記一方第１延伸部１２及び他方第１延伸部１３の各端部を前記支持部１１側に延伸した一方第２延伸部１４及び他方第２延伸部１５と、を有し、前記支持部１１にはボルト（図２に符号４２として示す。）を挿通できる透孔１６が穿設され、前記一方第２延伸部１４及び他方第２延伸部１５の各々には、吊下支持杆３を螺合固定するナット部材１７が回転自在に取り付けられた構成である。
【００２５】
尚、上記において一方第２延伸部１４及び他方第２延伸部１５の延伸構成について「前記一方第１延伸部１２及び他方第１延伸部１３の各端部を前記支持部１１側に延伸した」とあるが、「支持部１１側に延伸した」とは、一方第１延伸部１２及び他方第１延伸部１３の各々の端部から見て支持部１１側方向、即ち、図１の正面図において底面図方向に延伸することである。
【００２６】
尚また更に、当該一方第２延伸部１４及び他方第２延伸部１５の延伸構成について詳説すれば、該一方第２延伸部１４及び他方第２延伸部１５は、一方第１延伸部１２と一方第２延伸部１４との間、及び他方第１延伸部１３と他方第２延伸部１５との間の各々の通る第２基準線を中心にして、１０〜８０度（本実施例では４５度）の角度を以って、一方第１延伸部１２と他方第１延伸部１３の各々の端部を延伸した構成となっている。
【００２７】
支持部１１、一方第１延伸部１２、他方第１延伸部１３、一方第２延伸部１４及び他方第２延伸部１５を基本的主構成とする振止め吊下具１の本体は、一枚板形状の平板を折曲加工又はプレス加工によって形成することが好ましい。
【００２８】
ナット部材１７の取付けは、一方第２延伸部１４及び他方第２延伸部１５の各々に穿設された透孔１８に挿通することで行われており、回転自在を維持した状態で且つ透孔１８から脱落しないように、一方第２延伸部１４及び他方第２延伸部１６又は一方第１延伸部１２及び他方第１延伸部１３の一部を切り起こし等によってナット部材１７の底面を抑えることで回転自在に支持する構成とすることもできる。尚、このナット部材１７の脱落防止構成としては、この種の配管支持具においてナット部材を脱落防止状態で且つ回転自在に取付ける構成として公知公用の構成を特別の制限無く採ることができる。尚また、ナット部材１４の構成についても、本実施例のような透孔１８の径よりも大である鍔部を有する構成のものに限定されず、この種の配管支持具において回転自在に取付けられるナット部材の構成として公知公用の構成を特別の制限無く採ることができる。
【００２９】
振止め吊下具１への配管支持具４の取付けは、該配管支持具４の抱持部に配管Ｐを抱持した状態で抱持部両端部（図２に符号４１として示す。）を支持部１１に穿設された透孔１６に挿通するボルト・ナット（図２に符号４２として示す。）により固定する。
【００３０】
尚、配管支持具４は配管Ｐを抱持する構成に限らず、タンバックルの如き吊下具に取付けられることで配管Ｐ（水道管、ガス管、冷・暖房管等の各種配管及び電線等）を取付面２から吊下支持する構成の公知公用の配管支持具類を特別の制限無く用いることができる。
【００３１】
次に、上記構成を有する振止め吊下具１の使用例について説明する。
【００３２】
図２に示すように、支持部１１に穿設された透孔１６に挿通するボルト・ナット４２により配管支持具４の抱持部両端部４１を固定し、一方第２延伸部１４及び他方第２延伸部１５に取り付けられたナット部材１７に吊下支持杆３の一端を螺合固定し、前記吊下支持杆３の他端を、天井スラブ等の取付面２に斜め吊下状態で固定することで、配管Ｐを振止め状態で吊下支持することができる。この吊下支持構成によれば、配管軸直交方向への揺れに対して防振することができる。
【００３３】
以上、本考案に係る配管支持具用振止め吊下具の一実施例について説明したが、本考案は上記実施例に限定されず、本考案の範囲内において他の態様を採ることができる。
【００３４】
例えば、一方第２延伸部１４及び他方第２延伸部１５の長さを延長し、延長した一方第２延伸部１４及び他方第２延伸部１５に穿設される透孔１８の数を２つ以上穿設することで吊下支持杆３の支持数を増やしてもよい。
【００３５】
尚、透孔１８の数を増やした場合であっても、穿設されている透孔１８の数と一致する本数の吊下支持杆３を用いて振止め吊下する必要はなく、吊下現場に応じて吊下支持杆３の数と用いる透孔１８の位置を適宜決定すればよい。
【００３６】
尚また、透孔１８に回転自在に取付けるナット部材１７についても、穿設されている透孔１８の全てに取付ける必要はなく、螺合固定する吊下支持杆３の本数に応じた個数のナット部材１７を、振止め吊下する位置角度に応じて適宜選択した位置の透孔１８に回転自在に取付ければよい。この場合、ナット部材１７は透孔１８に対して着脱可能に取付ける構成となる。
【００３７】
また、透孔１８に回転自在に取付けられるナット部材１７を、凸球面状の鍔部を有する構成のものとすることで、一方第２延伸部１４及び他方第２延伸部１５に対して角度可変に取付けられるようにしてもよい。
【００３８】
更に、ナット部材１７を回転自在に取付ける透孔１８を丸孔ではなく長孔とすることで配管軸方向又は配管軸直交方向に取付位置を調整できるようにしてもよい。
【００３９】
更にまた、例えば、図３及び図４に示すように他の使用方法での吊下支持にも適用することができる。図３及び図４に示す吊下支持構成は、上記した実施例で示した吊下支持杆３と配管支持具４との間に用いることで両者を連結する構成ではなく、取付面２に固定したＴ足の如き取付足部材５と吊下支持杆３との間に用いることで取付面２から吊下支持杆３を斜めに垂設する構成のものである。
【００４０】
即ち、取付面２に取付固定されたＴ足の如き取付足部材５に、支持部１１を該支持部１１に穿設された透孔１６に挿通するボルト・ナット５１によって螺合固定し、一方第２延伸部１４及び他方第２延伸部１５に取り付けられたナット部材１７に吊下支持杆３の一端を螺合固定することで該吊下支持杆３を斜め吊下げし、この斜め吊下げする吊下支持杆３の他端に、連結部材（図３では符号６、図４では符号７で示す。）を介して配管支持具４を吊下固定することで、配管Ｐを振止め状態で吊下支持する構成である。
【００４１】
図３は吊下支持杆３による斜め吊下げが配管軸方向である態様を示し、当該図３において、連結部材６はＬ字状の連結部材であり、該連結部材６に取付けたナット部材６１に吊下支持杆３を螺合固定する構成となっている。
【００４２】
図４は、吊下支持杆３による斜め吊下げが配管軸直交方向である態様を示し、当該図４において、連結部材７はヘ字状の連結部材であり、該連結部材７に取付けたナット部材７１に吊下支持杆３を螺合固定する構成となっている。
【００４３】
図３及び図４に示す支持構成によれば、柔構造・免振構造或いは制振構造の建物における揺れに対して防振することができ、図３に示す吊下支持構成では配管軸方向への揺れに対して、図４に示す吊下支持構成では配管軸直交方向での揺れに対して、各々防振することができる。
【図面の簡単な説明】
【００４４】
【図１】本考案に係る配管支持具用振止め吊下具の一実施例を示す４面図（正面図、平面図、低面図、左側面図）
【図２】使用状態の一例を示す正面図
【図３】使用状態の他の例を示す正面図
【図４】使用状態の更に他の例を示す正面図
【符号の説明】
【００４５】
１  配管支持具用振止め吊下具
１１  平板状支持部
１２  一方第１延伸部
１３  他方第１延伸部
１４  一方第２延伸部
１５  他方第２延伸部
１６  透孔
１７  ナット部材
１８  透孔
２  取付面
３  吊下支持杆
４  配管支持具
４１  バンド端部
４２  ボルト・ナット
５  Ｔ足の如き取付足部材
５１  ボルト・ナット
６  連結部材
６１  ナット部材
７  連結部材
７１  ナット部材
Ｐ  配管
【図１】
0003148708.tif 000003
【図２】
0003148708.tif 000004
【図３】
0003148708.tif 000005
【図４】
0003148708.tif 000006